(57)【特許請求の範囲】
【請求項１】
互いに平行にのびる上下一対の水平バーの一端に上下一対のヒートシールまたは冷却部材を設け、前記各ヒートシールまたは冷却部材を上下方向に対向させ、前記各水平バーの他端にそれぞれリニアガイドを設け、前記リニアガイドにより、前記各水平バーを上下方向に移動可能に案内し、さらに、シリンダなどの駆動機構を一方の水平バーに連結し、連動リンク機構によって前記各水平バーの他端を連結し、前記駆動機構および前記連動リンク機構により、前記各水平バーを上下方向に逆方向に移動させ、プラスチックフィルムを前記各ヒートシールまたは冷却部材間に挟み、前記ヒートシールまたは冷却部材によって前記プラスチックフィルムを加圧し、ヒートシールまたは冷却するプラスチックフィルムヒートシールまたは冷却装置であって、反力支持部材の一端に前記駆動機構を取り付け、前記ヒートシールまたは冷却部材の対向位置またはその近傍位置において、前記駆動機構を前記一方の水平バーに連結するとともに、前記ヒートシールまたは冷却部材の対向位置またはその近傍位置において、前記反力支持部材の他端を他方の水平バーに連結し、前記他方の水平バーおよび前記反力支持部材によって前記駆動機構を支持したことを特徴とするプラスチックフィルムヒートシールまたは冷却装置。
【発明の詳細な説明】
【０００１】
【産業上の利用分野】
この発明は、プラスチックフィルムをヒートシールまたは冷却するプラスチックフィルムヒートシールまたは冷却装置に関するものである。
【０００２】
【従来技術とその問題点】
たとえば、プラスチック袋を製造する製袋機では、ヒートシール装置によってプラスチックフィルムが加熱および加圧され、ヒートシールされる。その後、プラスチックフィルムのヒートシール部分において、冷却装置によってプラスチックフィルムが冷却され、カッタによってプラスチックフィルムが切断される。これによってプラスチック袋が製造されることは周知のとおりである。
【０００３】
図３は従来のヒートシール装置を示す。この装置はプラスチックフィルム１をヒートシールするためのもので、上下一対の水平バー２Ｈ，２Ｌが互いに平行にのび、その一端に上下一対のヒートシール部材３Ｈ，３Ｌが設けられており、ヒートシール部材３Ｈ，３Ｌはヒータからなり、上下方向に対向する。さらに、各水平バー２Ｈ，２Ｌの他端にそれぞれリニアガイド４Ｈ，４Ｌが設けられ、各リニアガイド４Ｈ，４Ｌが支柱５に嵌合され、リニアガイド４Ｈ，４Ｌおよび支柱５により、各水平バー２Ｈ，２Ｌが上下方向に移動可能に案内されている。
【０００４】
さらに、シリンダ６がブラケット７に取り付けられ、支持され、ブラケット７は支柱５に取り付けられ、固定されており、シリンダ６は上側の水平バー２Ｈに連結されている。さらに、連動リンク機構によって各水平バー２Ｈ，２Ｌの他端が連結されている。連動リンク機構はレバー８とリンク９Ｈ，９Ｌからなり、レバー８はブラケット１０に取り付けられ、支点１１のまわりを揺動することができ、その一端はリンク９Ｈおよび水平バー２Ｈに連結されている。他端はリンク９Ｌおよび水平バー２Ｌに連結されている。ブラケット１０は各リニアガイド４Ｈ，４Ｌ間に設けられ、支柱５に取り付けられ、固定されている。
【０００５】
したがって、プラスチックフィルム１を各ヒートシール部材３Ｈ，３Ｌ間に通し、シリンダ６に流体圧を供給すると、シリンダ６によって上側の水平バー２Ｈを押し下げることができる。さらに、水平バー２Ｈがリンク９Ｈ，９Ｌおよびレバー８に作用し、レバー８が支点１１のまわりを揺動し、これによって下側の水平バー２Ｌが引き上げられる。したがって、シリンダ６および連動リンク機構により、各水平バー２Ｈ，２Ｌが上下方向に逆方向に移動するものである。したがって、プラスチックフィルム１を各ヒートシール部材３Ｈ，３Ｌ間に挟み、ヒートシール部材３Ｈ，３Ｌによってプラスチックフィルム１を加熱および加圧し、ヒートシールすることができる。反対に、シリンダ６によって上側の水平バー２Ｈを引き上げ、リンク９Ｈ，９Ｌおよびレバー８によって下側の水平バー２Ｌを押し下げることもでき、各ヒートシール部材３Ｈ，３Ｌをプラスチックフィルム１から離すことができる。
【０００６】
ところで、この装置において、プラスチックフィルム１が各ヒートシール部材３Ｈ，３Ｌ間に挟まれ、ヒートシール部材３Ｈ，３Ｌによってプラスチックフィルム１が加熱および加圧され、ヒートシールされるとき、その反力が水平バー２Ｈ，２Ｌの曲げモーメントとして作用し、各リニアガイド４Ｈ，４Ｌが大きい曲げモーメントを受けるのはさけられない。このため、曲げモーメントによってリニアガイド４Ｈ，４Ｌの磨耗および損傷が生じるという問題があった。連動リンク機構がヒートシール部材３Ｈ，３Ｌの反力を受け、反力によって連動リンク機構の損傷が生じるという問題もある。
【０００７】
プラスチックフィルム冷却装置も同様である。冷却装置では、各ヒートシール部材３Ｈ，３Ｌに代えて冷却部材が使用され、水平バー２Ｈ，２Ｌの一端に上下一対の冷却部材が設けられる。したがって、プラスチックフィルム１のヒートシール後、それを各冷却部材間に挟み、冷却部材によってプラスチックフィルム１を加圧し、冷却することができるものであるが、曲げモーメントによって各リニアガイド４Ｈ，４Ｌの磨耗および損傷が生じ、反力によって連動リンク機構の損傷が生じるという問題がある。
【０００８】
【発明の目的】
したがって、この発明は、プラスチックフィルムヒートシールまたは冷却装置において、そのヒートシールまたは冷却部材の反力にともなう問題がないようにすることを目的としてなされたものである。
【０００９】
【発明の構成】
この発明によれば、互いに平行にのびる上下一対の水平バーの一端に上下一対のヒートシールまたは冷却部材が設けられ、各ヒートシールまたは冷却部材が上下方向に対向し、各水平バーの他端にそれぞれリニアガイドが設けられ、リニアガイドにより、各水平バーが上下方向に移動可能に案内される。さらに、シリンダなどの駆動機構が一方の水平バーに連結され、連動リンク機構によって各水平バーの他端が連結され、駆動機構および連動リンク機構により、各水平バーが上下方向に逆方向に移動する。したがって、プラスチックフィルムを各ヒートシールまたは冷却部材間に挟み、ヒートシールまたは冷却部材によってプラスチックフィルムを加圧し、ヒートシールまたは冷却することができる。さらに、この発明によれば、反力支持部材の一端に駆動機構が取り付けられ、ヒートシールまたは冷却部材の対向位置またはその近傍位置において、駆動機構が一方の水平バーに連結される。さらに、ヒートシールまたは冷却部材の対向位置またはその近傍位置において、反力支持部材の他端が他方の水平バーに連結され、他方の水平バーおよび反力支持部材によって駆動機構が支持される。
【００１０】
【実施例の説明】
以下、この発明の実施例を説明する。図１はこの発明の実施例を示す。これはプラスチックフィルム１をヒートシールするプラスチックフィルムヒートシール装置であり、上下一対の水平バー２Ｈ，２Ｌが互いに平行にのび、その一端に上下一対のヒートシール部材３Ｈ，３Ｌが設けられているのは図３の装置と同様である。ヒートシール部材３Ｈ，３Ｌはヒータからなり、上下方向に対向する。各水平バー２Ｈ，２Ｌの他端にそれぞれリニアガイド４Ｈ，４Ｌが設けられ、各リニアガイド４Ｈ，４Ｌが支柱５に嵌合され、リニアガイド４Ｈ，４Ｌおよび支柱５により、各水平バー２Ｈ，２Ｌが上下方向に移動可能に案内されているのも図３の装置と同様である。
【００１１】
さらに、連動リンク機構によって各水平バー２Ｈ，２Ｌの他端が連結されている。連動リンク機構も図３のそれと同様のもので、レバー８とリンク９Ｈ，９Ｌからなり、レバー８はブラケット１０に取り付けられ、支点１１のまわりを揺動することができ、その一端はリンク９Ｈおよび水平バー２Ｈに連結されている。他端はリンク９Ｌおよび水平バー２Ｌに連結されている。ブラケット１０は各リニアガイド４Ｈ，４Ｌ間に設けられ、支柱５に取り付けられ、固定されている。
【００１２】
なお、図１の連動リンク機構については、レバー８およびリンク９Ｈ，９Ｌが水平バー２Ｈ，２Ｌに平行の垂直面に沿ってのび、ブラケット１０および水平バー２Ｈ，２Ｌの側面において、レバー８およびリンク９Ｈ，９Ｌがブラケット１０および水平バー２Ｈ，２Ｌに連結されているが、必ずしもその必要はない。レバー８およびリンク９Ｈ，９Ｌを水平バー２Ｈ，２Ｌに直角の垂直面に沿って配置し、ブラケット１０および水平バー２Ｈ，２Ｌの端面において、レバー８およびリンク９Ｈ，９Ｌをブラケット１０および水平バー２Ｈ，２Ｌに連結してもよい。
【００１３】
さらに、駆動機構としてシリンダ６が使用され、反力支持部材１２の一端にシリンダ６が取り付けられ、ヒートシール部材３Ｈ，３Ｌの対向位置において、シリンダ６が上側の水平バー２Ｈに連結されている。さらに、ヒートシール部材３Ｈ，３Ｌの対向位置において、反力支持部材１２の他端が下側の水平バー２Ｌに連結され、固定されており、下側の水平バー２Ｌおよび反力支持部材１２によってシリンダ６が支持されている。この実施例では、図２に示すように、反力支持部材１２として前後一対の側板が使用され、各側板が水平バー２Ｈ，２Ｌの両側に配置されており、反力支持部材１２の一端において、シリンダ６が各側板間に配置され、各側板にシリンダ６が取り付けられ、反力支持部材１２の他端において、各側板が下側の水平バー２Ｌに連結され、固定されている。さらに、側板はチャンネル形状のもので、リニアガイド４Ｈ，４Ｌに向かって湾曲しており、その中央部分１３はリニアガイド４Ｈ，４Ｌに近接する。したがって、プラスチックフィルム１を各ヒートシール部材３Ｈ，３Ｌ間に通し、送るとき、反力支持部材１２の中央部分１３によってそれが阻害されず、問題はない。
【００１４】
この装置において、シリンダ６に流体圧を供給すると、シリンダ６によって上側の水平バー２Ｈを押し下げることができ、反力支持部材１２はその反力を受ける。さらに、水平バー２Ｈがリンク９Ｈ，９Ｌおよびレバー８に作用し、レバー８が支点１１のまわりを揺動し、これによって下側の水平バー２Ｌが引き上げられる。したがって、シリンダ６および連動リンク機構により、各水平バー２Ｈ，２Ｌが上下方向に逆方向に移動するものである。したがって、プラスチックフィルム１を各ヒートシール部材３Ｈ，３Ｌ間に挟み、ヒートシール部材３Ｈ，３Ｌによってプラスチックフィルム１を加熱および加圧し、ヒートシールすることができる。反対に、シリンダ６によって上側の水平バー２Ｈを引き上げ、リンク９Ｈ，９Ｌおよびレバー８によって下側の水平バー２Ｌを押し下げ、各ヒートシール部材３Ｈ，３Ｌをプラスチックフィルム１から離すこともできる。
【００１５】
この装置の場合、プラスチックフィルム１が各ヒートシール部材３Ｈ，３Ｌ間に挟まれ、ヒートシール部材３Ｈ，３Ｌによってプラスチックフィルム１が加熱および加圧され、ヒートシールされるとき、上側のヒートシール部材３Ｈについては、その反力が水平バー２Ｈおよびシリンダ６に伝達され、反力支持部材１２に伝達される。下側のヒートシール部材３Ｌについても、その反力が水平バー２Ｌおよび反力支持部材１２に伝達される。したがって、反力支持部材１２がヒートシール部材３Ｈ，３Ｌの反力を受け、反力支持部材１２によってヒートシール部材３Ｈ，３Ｌの反力が相殺される。したがって、ヒートシール部材３Ｈ，３Ｌの反力が水平バー２Ｈ，２Ｌの曲げモーメントとして作用することはなく、リニアガイド４Ｈ，４Ｌは大きい曲げモーメントを受けず、曲げモーメントによってリニアガイド４Ｈ，４Ｌの磨耗および損傷が生じることはない。連動リンク機構はヒートシール部材３Ｈ，３Ｌの反力を受けず、反力によって連動リンク機構の損傷が生じることもない。
【００１６】
なお、この実施例では、駆動機構としてシリンダ６を使用したものを説明したが、必ずしもその必要はない。たとえば、シリンダ６に代えてサーボモータおよびボールねじを使用し、サーボモータをボールねじに連結し、反力支持部材１２の一端にサーボモータを取り付けてもよい。さらに、ボールねじを上側の水平バー２Ｈにねじ合わせ、連結すると、サーボモータ、ボールねじおよび連動リンク機構により、各水平バー２Ｈ，２Ｌを上下方向に逆方向に移動させることができる。したがって、ヒートシール部材３Ｈ，３Ｌによってプラスチックフィルム１を加熱および加圧し、ヒートシールすることができる。反力支持部材１２の一端に駆動機構を取り付け、これを上側の水平バー２Ｈではなく、下側の水平バー２Ｌに連結してもよい。そして、反力支持部材１２の他端を上側の水平バー２Ｈに連結し、上側の水平バー２Ｈおよび反力支持部材１２によって駆動機構を支持すると、各水平バー２Ｈ，２Ｌを上下方向に逆方向に移動させ、ヒートシール部材３Ｈ，３Ｌによってプラスチックフィルム１をヒートシールし、反力支持部材１２によってヒートシール部材３Ｈ，３Ｌの反力を相殺することができる。ヒートシール部材３Ｈ，３Ｌの対向位置ではなく、その近傍位置において、駆動機構を一方の水平バーに連結し、反力支持部材１２の他端を他方の水平バーに連結しても、反力支持部材１２によってヒートシール部材３Ｈ，３Ｌの反力を相殺することができ、同様の作用効果を得ることができる。
【００１７】
さらに、この発明をプラスチックフィルム冷却装置に適用し、各ヒートシール部材３Ｈ，３Ｌに代えて冷却部材を使用し、水平バー２Ｈ，２Ｌの一端に上下一対の冷却部材を設けてもよい。そして、プラスチックフィルム１のヒートシール後、駆動機構および連動リンク機構により、各水平バー２Ｈ，２Ｌを上下方向に逆方向に移動させると、プラスチックフィルム１を各冷却部材間に挟み、冷却部材によってプラスチックフィルム１を加圧し、冷却することができ、反力支持部材１２によって冷却部材の反力を相殺することができる。
【００１８】
【発明の効果】
以上説明したように、この発明によれば、反力支持部材１２がヒートシールまたは冷却部材３Ｈ，３Ｌの反力を受け、反力支持部材１２によってヒートシールまたは冷却部材３Ｈ，３Ｌの反力が相殺される。したがって、ヒートシールまたは冷却部材３Ｈ，３Ｌの反力が水平バー２Ｈ，２Ｌの曲げモーメントとして作用することはなく、リニアガイド４Ｈ，４Ｌは大きい曲げモーメントを受けず、曲げモーメントによってリニアガイド４Ｈ，４Ｌの磨耗および損傷が生じることはない。連動リンク機構はヒートシール部材３Ｈ，３Ｌの反力を受けず、反力によって連動リンク機構の損傷が生じることもなく、所期の目的を達成することができるものである。
【図面の簡単な説明】
【図１】この発明の実施例を示す側面図である。
【図２】図１のヒートシール装置の平面図である。
【図３】従来のヒートシール装置の側面図である。
【符号の説明】
１  プラスチックフィルム
２Ｈ，２Ｌ  水平バー
３Ｈ，３Ｌ  ヒートシール部材
４Ｈ，４Ｌ  リニアガイド
６  シリンダ
８  レバー
９Ｈ，９Ｌ  リンク
１２  反力支持部材
【図１】
0003727123.tif 000002
【図２】
0003727123.tif 000003
【図３】
0003727123.tif 000004